(57)【要約】【課題】構成および設計を容易にし、かつ利用方法がわかり易いコイン選別装置および収容物排出装置を提供することである。【解決手段】コインＣ１が保持された状態で回転体を回転させたときには、コインＣ１の表面上に退避し、直径がコインＣ１よりも小さいコインＣ２が保持された状態で回転体を回転させたときには、コインＣ２の外周面と第１ストッパーとの間に入って、コインＣ１が保持されているときと同じ所定量だけ第１ストッパーを外方に押し出して回転体の回転を許容する。【選択図】図５
2017045383.tif 000002
【特許請求の範囲】
【請求項１】
投入されたコインを保持する保持部を有する回転体と、該回転体の回転に伴って前記保持部に保持されているコインの外周面と接触して移動可能な接触部を有し該接触部の移動量に応じて該回転体の回転を阻止可能な回転阻止手段とを備えるコイン選別装置であって、
前記回転阻止手段は、前記接触部の移動量が所定量であるときには前記回転体の回転を許容する一方、前記接触部の移動量が前記所定量未満であるときには前記回転体の回転を阻止し、
前記接触部は、接触するコインの直径が所定値であるときに前記所定量移動し、
コイン選別装置は、さらに、前記保持部に保持されているコインの直径が前記所定値よりも小さい値のうち特定値であるときに、前記回転体の回転に伴って前記所定値と前記特定値との差分だけ多く前記接触部を移動させる移動増加手段を備える、コイン選別装置。
【請求項２】
前記移動増加手段は、前記保持部に保持されているコインの外周面と前記接触部との間の所定停止位置に位置するスペーサーを含み、
前記スペーサーは、前記回転体の回転に伴って前記保持部に保持されているコインの外周面と接触する接触面を有し、
前記接触面には、接触するコインの直径が前記特定値よりも大きいときに、当該コインの外周面と接触することにより前記所定停止位置から前記スペーサーを退避させる傾斜が設けられている、請求項１に記載のコイン選別装置。
【請求項３】
前記移動増加手段は、前記保持部に保持されているコインの外周面と前記接触部との間の所定停止位置に位置するスペーサーを含み、
前記スペーサーは、前記回転体の回転に伴って前記保持部に保持されているコインの外周面と接触することにより、前記保持部に保持されているコインの厚み方向、および、前記接触部が移動する方向のいずれにも移動可能に設けられている、請求項１または請求項２に記載のコイン選別装置。
【請求項４】
前記回転体は、投入されたコインを前記保持部に保持可能な保持可能回転位置にあるときと、前記保持可能回転位置から所定角度回転された位置であって投入されたコインを前記保持部に保持できない保持不可能回転位置にあるときとがあり、
コイン選別装置は、前記回転体が前記保持不可能回転位置にあるときに前記保持可能回転位置まで前記回転体を回転可能な回転手段を備える、請求項１〜請求項３のいずれかに記載のコイン選別装置。
【請求項５】
請求項１〜請求項４のいずれかに記載のコイン選別装置と、
収容物を収容可能な収容部とを備え、
前記回転体が回転することにより前記収容部から収容物を排出する、収容物排出装置。
【発明の詳細な説明】
【技術分野】
【０００１】
本発明は、正規なコインが保持されているときに回転体が回転可能となるコイン選別装置、および、コイン選別装置を備えコイン選別装置の回転体が回転することにより収容している収容物を排出する収容物排出装置に関する。
【背景技術】
【０００２】
従来より、収容物排出装置として、玩具等を包装した透明カプセル等の収容物を収納可能であって、投入口から投入されてコイン選別装置に保持されるコインが、非正規なコインであるときには、コイン選別装置の回転体を係止して回転を阻止することにより収容物を排出不能にする一方、正規なコインであるときには、回転体を係止せずに回転を許容し、収容物を排出可能にしたものが知られている。
【０００３】
また、このようなコイン選別装置および収容物排出装置として、たとえば、直径が異なる予め定められた複数種類のコイン各々を正規なコインとして選別可能にし、いずれのコインが保持されているときであっても、回転体を係止せずに回転を許容するものがある（例えば、特許文献１参照）。
【先行技術文献】
【特許文献】
【０００４】
【特許文献１】特開２００５−２９３０２５号公報
【発明の概要】
【発明が解決しようとする課題】
【０００５】
特許文献１に記載されたコイン選別装置および収容物排出装置では、コインの種類毎に、コインを投入する投入口およびコインを保持する保持部を設ける必要がある。また、保持部については、対応する正規のコインが保持されているときに回転体の回転を許容可能にするために、保持部毎にその大きさやコインの入り代（深さ）などを調整する必要がある。このため、コイン選別装置の構成および設計が複雑になり、製造コストが増大してしまう虞があった。
【０００６】
また、利用者は、投入しようとするコインの種類に応じた投入口に投入して、当該コインに対応する保持部に保持させる必要がある。このため、利用者にとって利用方法がわかり難くなる虞があった。
【０００７】
この発明は、かかる実情に鑑み考え出されたものであり、その目的は、構成および設計を容易にし、かつ利用方法がわかり易いコイン選別装置および収容物排出装置を提供することである。
【課題を解決するための手段】
【０００８】
本発明に係るコイン選別装置は、投入されたコインを保持する保持部を有する回転体と、該回転体の回転に伴って前記保持部に保持されているコインの外周面と接触して移動可能な接触部を有し該接触部の移動量に応じて該回転体の回転を阻止可能な回転阻止手段とを備えるコイン選別装置であって、前記回転阻止手段は、前記接触部の移動量が所定量であるときには前記回転体の回転を許容する一方、前記接触部の移動量が前記所定量未満であるときには前記回転体の回転を阻止し、前記接触部は、接触するコインの直径が所定値であるときに前記所定量移動し、コイン選別装置は、さらに、前記保持部に保持されているコインの直径が前記所定値よりも小さい値のうち特定値であるときに、前記回転体の回転に伴って前記所定値と前記特定値との差分だけ多く前記接触部を移動させる移動増加手段を備える。
【０００９】
好ましくは、前記移動増加手段は、前記保持部に保持されているコインの外周面と前記接触部との間の所定停止位置に位置するスペーサーを含み、前記スペーサーは、前記回転体の回転に伴って前記保持部に保持されているコインの外周面と接触する接触面を有し、前記接触面には、接触するコインの直径が前記特定値よりも大きいときに、当該コインの外周面と接触することにより前記所定停止位置から前記スペーサーを退避させる傾斜が設けられている。
【００１０】
好ましくは、前記移動増加手段は、前記保持部に保持されているコインの外周面と前記接触部との間の所定停止位置に位置するスペーサーを含み、前記スペーサーは、前記回転体の回転に伴って前記保持部に保持されているコインの外周面と接触することにより、前記保持部に保持されているコインの厚み方向、および、前記接触部が移動する方向のいずれにも移動可能に設けられている。
【００１１】
好ましくは、前記回転体は、投入されたコインを前記保持部に保持可能な保持可能回転位置にあるときと、前記保持可能回転位置から所定角度回転された位置であって投入されたコインを前記保持部に保持できない保持不可能回転位置にあるときとがあり、コイン選別装置は、前記回転体が前記保持不可能回転位置にあるときに前記保持可能回転位置まで前記回転体を回転可能な回転手段を備える。
【００１２】
本発明に係る収容物排出装置は、上記コイン選別装置と、収容物を収容可能な収容部とを備え、前記回転体が回転することにより前記収容部から収容物を排出する。
【発明の効果】
【００１３】
本発明によれば、保持部を共通としながらも移動増加手段を備えることにより、直径が所定値のコインのみならず直径が特定値のコインでも、接触部を所定量移動させて回転体の回転を許容させることができる。その結果、構成・設計を容易にするとともに、利用方法をわかり易くすることができる。
【図面の簡単な説明】
【００１４】
【図１】収容物排出装置を説明するための図である。
【図２】コイン選別装置を説明するための図である。
【図３】回転体、第１ストッパー、および第２ストッパーの動作について説明するための図である。
【図４】コイン選別部品を説明するための図である。
【図５】コイン選別部品の動作について説明するための図である。
【図６】回転ハンドルを初期位置に戻す機構を説明するための図である。
【発明を実施するための形態】
【００１５】
以下、図面を参照しつつ、本発明の一実施形態を説明する。
［収容物排出装置の概要について］
図１（ａ）は、収容物排出装置１の正面図を示し、図１（ｂ）は、図１（ａ）中のＡ−Ａに沿った断面図を示している。収容物排出装置１は、箱型の筐体２を有している。筐体２の上面には、収納ケース３が設けられている。収納ケース３は、たとえば玩具等を包装したカプセル等の収容物Ｘを収容する収容部を形成する。収納ケース３は、蓋体４を有し、当該蓋体４を開いて収容物Ｘを収容可能に構成されている。
【００１６】
筐体２の上面には、回転台１１が回転可能に載置されている。回転台１１には、収容部に収容されている収容物Ｘのうちのひとつを排出用の収容物として確保するための排出確保部が複数個（たとえば４つ）設けられている。また、筐体２の上面には、収容物Ｘを自重により下方へ落下させるための排出孔１２が設けられている。
【００１７】
回転台１１は、筐体２の上面において回転することにより、排出確保部が排出孔１２に対応する位置を通過するときに当該排出確保部において確保されているひとつの収容物を落下させて排出可能となるように形成されている。収納ケース３に大きさの異なる収容物（たとえば、径が５０ｍｍ、６５ｍｍ、７５ｍｍなどのカプセル）が混在して収容されている場合であっても、排出確保部は、そのうちのひとつを排出用の収容物として確保可能となる形状に形成されている。また、排出孔１２の上方には、棒状の弾性部材が取り付けられている。棒状の弾性部材は、排出孔１２に対応する位置を排出確保部が通過しようとするときに、当該排出確保部が確保した収容物の上に重なる他の収容物を排出確保部の外へ弾き出す。このため、一度に複数の収容物を落下させてしまうことを防止できる。
【００１８】
筐体２の前面には、前面カバー部材５が取り付けられており、その下方には排出孔１２から落下した収容物を取り出すための収容物取出口１６が設けられている。前面カバー部材５は、筐体２に対して取り外し自在に設けられている。前面カバー部材５には、図１（ａ）において模様が付されているように、任意のデザインを施すことが可能であって、収容物排出装置１を設置する場所や環境などに応じて変化させることができる。
【００１９】
前面カバー部材５の後面側には、コイン選別装置６が取り付けられる。コイン選別装置６は、コイン投入口１７、返却ボタン２１、および回転ハンドル２０を有している。コイン投入口１７は、コインを投入するための投入口である。返却ボタン２１は、投入したコインを返却させるためのボタンである。回転ハンドル２０は、収容物Ｘを収納ケース３から排出させるために操作する操作部である。前面カバー部材５には、コイン選別装置６が有するコイン投入口１７、返却ボタン２１、および、回転ハンドル２０を前面に突出可能な開口が設けられている。
【００２０】
回転ハンドル２０の後面側には、図１（ｂ）に示されるように、回転軸２２の一端が取り付けられている。回転軸２２の他端には、歯車２３が取り付けられている。回転軸２２の断面は、Ｄ字状となるように形成されている。また、回転台１１の外周下端部には、歯車１３が形成されている。歯車１３は、回転台１１を筐体２の上面に載置させたときに回転台１１の最も手前の位置（回転ハンドル２０に近い位置）において歯車２３と噛み合うように構成されている。これにより、回転ハンドル２０を矢印Ｔ方向に回転（以下、正回転ともいう）させると、回転力が回転軸２２、歯車２３、および歯車１３を介して回転台１１に伝達され、収容物排出装置１を上方から見下ろした場合に回転台１１を反時計回りに回転させることができる。
【００２１】
収容物排出装置１は、回転ハンドル２０からの回転力を回転台１１に対して伝達させる機構として、歯車の噛み合わせが１個所となる機構を採用している。これにより、歯車の噛み合わせが複数個所に及ぶ機構と比較し、軽い力で回転ハンドル２０を回転させることができ、たとえば非力な子供でも容易に回転させることができる。
【００２２】
歯車２３と歯車１３との減速比は、歯車２３が１回転することにより、回転台１１に設けられた排出確保部のうちのひとつが排出孔１２に対応する位置を通過する角度（たとえば、排出確保部が４つ設けられている場合には、３６０度÷４＝９０度）だけ回転台１１が回転するように設定されている。このため、回転ハンドル２０を１回転させることにより、ひとつの排出確保部に確保されている収容物を排出孔１２から排出できる。
【００２３】
［コイン選別装置の構成について］
収容物排出装置１は、直径が所定値のコインＣ１（たとえば、専用コイン）、および、コインＣ１よりも直径が小さい特定値のコインＣ２（たとえば、１００円硬貨）のいずれをも正規なコインとして判別し、回転ハンドル２０の回転を許容するコイン選別装置を備えている。コイン選別装置は、前面カバー部材５の後面側に取り付けられる。
【００２４】
ここで、図２を参照してコイン選別装置の構成について説明する。図２は、コイン選別装置６を説明するための図である。図２（ａ）および（ｂ）は、コイン選別装置６の分解斜視図を示している。
【００２５】
コイン選別装置６は、略矩形箱状のコイン選別本体７と、コイン選別本体７の側面上方に取り付けられる返却ボタン２１に関する部材と、コイン選別本体７の側面中央に取り付けられる回転ハンドル２０に関する部材と、コイン選別本体７の側面下方に取り付けられるアーム部材２５に関する部材とを有する。コイン選別装置６は、図２（ａ）において点線で示される前面カバー部材５の後面側において、コイン投入口１７、返却ボタン２１、および、回転ハンドル２０が前面カバー部材５の開口から突出するように取り付けられる。
【００２６】
コイン選別本体７は、図２（ｂ）に示す構成を有している。図２（ｂ）は、回転ハンドル２０が取り付けられる側面とは反対の側面上方からのコイン選別本体７の分解斜視図である。コイン選別本体７は、第１ケース体７ａと、第２ケース体７ｂとを組み合わせて形成される。
【００２７】
第１ケース体７ａの上部には、コイン投入口１７から投入されたコインを流下させる流下経路１８が設けられている。また、第１ケース体７ａには、円形の開口３０が設けられている。円盤状の回転体３１は、開口３０を塞ぐように回転可能に収容される。また、第１ケース体７ａの回転体３１が収容される外周近傍には、第１ストッパー４０と、第２ストッパー４５とが設けられる。第１ストッパー４０は、回転阻止手段の一例であって、回転体３１の正回転を阻止可能である。また、第２ストッパー４５は、回転体３１の正回転方向とは逆方向の回転（以下、逆回転ともいう）を阻止可能である。
【００２８】
ここで、回転体３１、第１ストッパー４０、および第２ストッパー４５について、さらに図２（ｃ）および図３を参照しつつ説明する。図２（ｃ）は、第１ケース体７ａに回転体３１、第１ストッパー４０、および第２ストッパー４５が配置された状態を説明するための図である。また、図３は、回転体３１、第１ストッパー４０、および第２ストッパー４５の動作について説明するための図である。
【００２９】
回転体３１の中心には、回転軸２２の断面形状と合致し回転軸２２を挿通可能なＤ字状の挿通孔３２が形成されている。また、回転体３１の一方側面（図２（ｂ）（ｃ）において示される側面）には、コイン投入口１７から投入されて流下したコインを保持可能な保持部としてのコイン保持部３３が形成されている。なお、図３（ａ）の点線は、コインが保持されている状態を例示している。
【００３０】
コイン保持部３３は、たとえば、直径が所定値以下のコイン（直径が専用コイン以下となるコイン）を適正に保持可能な大きさに形成された凹部である。コイン保持部３３は、直径が所定値よりも大きなコインを適正に保持できない。コインが適正に保持されると、コインの下端がコイン保持部３３の最下点部（たとえば、図３（ａ）に示す挿通孔３２を形成する壁部のうち平坦面など）に接した状態となる。コイン保持部３３は、凹部になっているため、図３（ａ）などにおいて手前側が開口するが、後述するように、当該手前側にコイン押え部材２６が配置されて、コイン保持部３３に保持されたコインが落下しないように構成される。
【００３１】
コイン保持部３３の右上部には、係止片３４が形成されている。係止片３４は、正回転させたときに第１ストッパー４０と係合可能である。さらに、回転体３１の外周には、係止片３５が複数形成されている。複数の係止片３５は、逆回転時に第２ストッパー４５と係合可能である。コイン保持部３３の略中央には、開口３９が設けられている。開口３９は、返却ボタン２１のコイン返却用の脚部が挿通可能である。さらに、回転体３１の他方側面（図２（ａ）において示される側面）には、突起部３６が設けられている。突起部３６は、アーム部材２５と係合可能である。
【００３２】
第１ストッパー４０は、略台形状に形成されており、円弧状の接触部４２と、平面部４４と、爪部４１とが設けられている。接触部４２は、回転体３１のコイン保持部３３に保持されているコインの外周面と接触可能である。平面部４４は、接触部４２と直交する面である。爪部４１は、平面部４４の端に設けられており、回転体３１の係止片３４と係合して当該回転体３１の回転を阻止する。
【００３３】
第１ストッパー４０は、一方端が第１ケース体７ａに設けられた軸により軸支され、他方端が回動可能となるように第１ケース体７ａに取り付けられている。第１ストッパー４０は、弾性体４３（たとえば、バネ）によって下底に相当する側面が回転体３１の中心方向に付勢される。その結果、爪部４１は、回転体３１の中心方向に付勢される。これにより、正規なコインが回転体３１に保持されていない状態において、正回転させたときには、図３（ｂ）に示すように、係止片３４が第１ストッパー４０の爪部４１と係合して、それ以上の回転が阻止される。
【００３４】
一方、正規なコインＣ１が回転体３１に保持されている状態において、正回転させたときには、回転体３１の回転に伴って、第１ストッパー４０の接触部４２にコインＣ１の外周面が接触して、第１ストッパー４０が所定量外方に押し出される。一方、回転体３１の係止片３４は、第１ストッパー４０が所定量押し出されているときに、図３（ｃ）に示すように、爪部４１と係合しない位置関係となるように設計されている。このため、正規なコインＣ１が回転体３１に保持されるなどして第１ストッパー４０が所定量移動したときには、回転体３１の回転を許容させることができる。なお、第１ストッパー４０を通過した後は、コイン保持部３３が下方位置まで回転したときにコインの保持が解除されて落下し、所定の通路を介して筐体２内のコイン収納ボックスに格納される。
【００３５】
正規なコインＣ１よりも直径が小さいコインが保持されているときには、図３（ａ）に示す構造だけでは、当該コインの外周面によって第１ストッパー４０の接触部４２を外方へ所定量押し出すことができない。このため、係止片３４が爪部４１と係合して、それ以上正回転されることが阻止されることになる。しかし、コイン選別装置６は、コイン保持部３３に保持されているコインの直径がコインＣ１よりもＳだけ小さいコインＣ２であるときに、回転体３１の回転に伴ってＳだけ多く第１ストッパー４０を移動させる。このため、コインＣ１だけでなくコインＣ２をも正規なコインとして判別できる。
【００３６】
なお、直径がコインＣ１よりも大きいコインが保持された状態で正回転させたときには、コインの外周面がコイン保持部３３を形成する凹部に引っかかり、適正に保持されずにコインの上端が出っ張る。このため、回転体３１を回転させたとしても、当該コインの上端が第１ケース体７ａの壁部に当接するか、あるいは、第１ストッパー４０が回動可能な許容範囲を超えてしまい第１ストッパー４０の下底に相当する側面が第１ケース体７ａの壁部に当接するなどにより、回転不能となるように構成されている。
【００３７】
第２ストッパー４５は、略直方体に形成されており、一端に爪部４６が設けられている。爪部４６は、回転体３１の係止片３５を係止して当該回転体３１の逆回転を阻止する。第２ストッパー４５は、一方端が第１ケース体７ａに設けられた軸により軸支され、他方端が回動可能となるように第１ケース体７ａに取り付けられ、弾性体４７（たとえば、バネ）によって回転体３１の中心方向に付勢される。その結果、爪部４６は、回転体３１の中心方向に付勢される。このため、図３（ａ）に示すように、回転体３１の係止片３５と、第２ストッパー４５の爪部４６とが係合し、回転体３１の逆回転を阻止できる。また、回転体３１の外周には、係止片３５が複数設けられおり、回転途中における逆回転をも阻止できる。
【００３８】
図２（ｂ）に戻り、第２ケース体７ｂについて説明する。第２ケース体７ｂの上部には、十字状のコイン押え部材２６を回転体３１の側面と接触させるための開口２７が設けられ、その下方には回転軸２２を挿通して軸支するための軸穴３７が形成されている。また、第２ケース体７ｂには、第１ケース体７ａと組み合わせたときに第１ストッパー４０の接触部４２とコイン保持部３３に保持されるコインの外周面との間の領域に対向して開口３８が設けられている。また、第２ケース体７ｂには、開口３８を臨むようにコイン選別部品８が取り付けられる。コイン選別部品８は、移動増加手段の一例である。図２（ｄ）は、コイン選別部品８が第２ケース体７ｂに取り付けられている状態を示す図である。
【００３９】
第１ケース体７ａと第２ケース体７ｂとが組合されたコイン選別本体７に対しては、図２（ａ）に示すように、返却ボタン２１に関する部材と、回転ハンドル２０に関する部材と、アーム部材２５に関する部材とが取り付けられる。
【００４０】
返却ボタン２１に関する部材としては、返却ボタン２１と、弾性体２８ａ、２８ｂと、コイン押え部材２６とを有している。返却ボタン２１は、十字状に形成されており、左右および下の端に奥行方向へ延びる脚部を有している。弾性体２８ａ、２８ｂは、返却ボタン２１を手前側に付勢する。コイン押え部材２６は、返却ボタン２１の左右の脚部の後端に対してビス２７ａ、２７ｂにより固定される。返却ボタン２１は、通常時において、弾性体２８ａ、２８ｂにより手前側に付勢される。このため、左右の脚部の後端に固定されているコイン押え部材２６も手前側に付勢される。その結果、回転体３１に接し、当該回転体３１の凹部とコイン押え部材２６とにより、コイン保持部３３が形成される。一方、返却ボタン２１が押圧されると、返却ボタン２１の下方の脚部が、回転体３１の開口３９に進入するとともに、コイン押え部材２６も後退する。その結果、コイン保持部３３にコインが保持されているときには、脚部によりコインが後方に押し出されて、第２ケース体７ｂの開口２７から排出されて、収容物取出口１６から返却される。
【００４１】
回転ハンドル２０に関する部材としては、前述したとおり、回転ハンドル２０と、回転軸２２と、歯車２３とを有している。回転軸２２を回転体３１の挿通孔３２に挿通されて、回転ハンドル２０を回転させることにより、回転体３１とともに歯車２３を回転させることができる。
【００４２】
アーム部材２５に関する部材としては、アーム部材２５と、弾性体３２と、アーム止め３１ａとを有している。アーム部材２５は、第１ケース体７ａに形成されている軸により先端が回動自在に軸支される。弾性体３２は、一旦が第１ケース体７ａの所定の固定部３２ａに係止されアーム部材２５の先端を上方へ引っ張る。アーム止め３１ａは、アーム部材２５の回動を所定位置に留めるための部材である。回転ハンドル２０が１回転されるときには、回転体３１の突起部３６と係合するアーム部材２５の先端が下方へ押し下げられて、一定角度以上回転したときに突起部３６による係合が解除されてアーム部材２５が所定位置に戻るように構成されている。
【００４３】
［コイン選別部品の構成について］
図４を参照して、コイン選別部品８について説明する。図４（ａ）〜図４（ｆ）は、コイン選別部品８を説明するための図であり、図４（ａ）は上面図を示し、図４（ｂ）は、図４（ａ）に示すＢ方向からの手前側面図を示し、図４（ｃ）は図４（ｂ）に示すＣ方向からの下面図を示している。また、図４（ｄ）〜（ｆ）は、各々、図４（ａ）におけるＤ〜Ｆ各々の断面図を示している。
【００４４】
コイン選別部品８は、略スプーン形状のスペーサー７０を有している。スペーサー７０は、図４（ｂ）に示されるように、スプーンの柄に相当する軸部７０ａと、スプーンの先端に相当するスペーサー本体部７０ｂとから構成される。スペーサー本体部７０ｂは、スペーサーの一例である。コイン選別部品８は、さらに、ケース７１と、軸支ピン７２と、付勢部材７３とを有している。ケース７１は、スペーサー本体部７０ｂが図４（ａ）において上下方向（接触部が移動する方向）に回動可能となるように軸部７０ａを軸支する。軸支ピン７２は、スペーサー本体部７０ｂが図４（ａ）において奥行手前方向（コインの厚み方向）に回動可能となるようにケース７１を軸支する。付勢部材７３は、図４（ａ）においてスペーサー本体部７０ｂを奥行方向に付勢する。コイン選別部品８は、スペーサー本体部７０ｂを開口３８に臨ませ、軸支ピン７２を第２ケース体７ｂの所定の軸受部に嵌め合わせ、ビス７４で第２ケース体７ｂの所定の固定部に固定することにより、第２ケース体７ｂに取り付けられる。
【００４５】
コイン選別部品８のスペーサー本体部７０ｂは、図４（ｄ）〜（ｆ）や図４（ｂ）に示すように、先端から軸部７０ａ側へ向かうに連れて高さが徐々に増すように傾斜面７０ｃが形成されている。また、傾斜面７０ｃは、図４（ｂ）において手前から奥に向けて高さが徐々に増すように傾斜している。つまり、傾斜面７０ｃは、図４（ａ）において、右下方向から左上方向に向けて下がるように形成されている。図４（ｂ）において、スペーサー本体部７０ｂのうち最も低い位置を最下位置７０ｄと称する。また、図４（ｂ）において便宜的に斜線を付した側面を、コイン接触側面７０ｅと称し、図４（ｃ）においてコイン接触側面７０ｅと対向する円弧状の側面を、ストッパー接触側面７０ｆと称する。傾斜面７０ｃとコイン接触側面７０ｅとは、コインの外周面と接触する接触面に相当する。
【００４６】
［コイン選別部品の動作について］
図５を参照して、コイン選別部品８の動作について説明する。図５は、スペーサー本体部７０ｂの最下位置７０ｄを通る断面図を示しており、図５（ａ）は、コイン選別部品８が第２ケース体７ｂに取り付けられた初期状態における断面図である。初期状態において、スペーサー本体部７０ｂは、第１ストッパー４０の平面部４４に対して最下位置７０ｄが接した状態で付勢される。
【００４７】
コイン選別部品８は、図２（ｃ）に示すように、回転体３１の略接線方向に沿って取り付けられる。このため、初期状態においてコイン保持部３３にコインＣ１を保持させて回転体３１を回転させたときには、まず、コインＣ１の外周面がスペーサー本体部７０ｂの傾斜面７０ｃに接触する。スペーサー本体部７０ｂは、付勢部材７３によって付勢されている。このため、コインＣ１の外周面によって傾斜面７０ｃが外方に押し出されて、ストッパー接触側面７０ｆが第１ストッパー４０の接触部４２と接触する。
【００４８】
さらに傾斜面７０ｃに対し外方へ押し出す力が加わると、スペーサー本体部７０ｂが上方へせり上がる。付勢部材７３によりスペーサー本体部７０ｂが付勢される力よりも、弾性体４３により第１ストッパー４０が付勢される力の方が大きくなるように設定されているためである。その結果、スペーサー本体部７０ｂは、コインＣ１の外周面と第１ストッパー４０の接触部４２との間から上方へ退避し、コインＣ１の表面上に最下位置７０ｄが接した状態となる。その後は、図３（ｃ）と同様に、第１ストッパー４０の接触部４２にコインＣ１の外周面が接触して、図５（ｂ）に示すように、第１ストッパー４０が所定量ｍだけ外方に押し出されて、回転体３１の回転を許容させることができる。なお、上方へ退避しているスペーサー本体部７０ｂは、コイン通過後、付勢部材７３により付勢されるため、再び第１ストッパー４０の平面部４４に対して最下位置７０ｄが接した状態に戻る。
【００４９】
次に、コイン保持部３３にコインＣ２を保持させて回転体３１を回転させた場合について説明する。なお、コインＣ２の直径は、コインＣ１よりも「Ｓ」小さいものとする。コインＣ２の外周面がスペーサー本体部７０ｂの傾斜面７０ｃに接触し、コインＣ２の外周面によってスペーサー本体部７０ｂの傾斜面７０ｃが外方に押し出され、ストッパー接触側面７０ｆが第１ストッパー４０の接触部４２と接触する。
【００５０】
スペーサー本体部７０ｂの傾斜面７０ｃは、コインＣ２の外周面により押し出されてストッパー接触側面７０ｆが第１ストッパー４０の接触部４２と接触したときの当該コインＣ２の外周面が当接する箇所が傾斜面７０ｃからコイン接触側面７０ｅに切り替わるような寸法（形状・長さなど）に設計されている。このため、さらに回転体３１を回転させたとしても、コインＣ２の外周面からの力がスペーサー本体部７０ｂをせり上がらせる方向に働かないため、スペーサー本体部７０ｂをコインＣ２の外周面と第１ストッパー４０の接触部４２との間に挟んだ状態で、第１ストッパー４０を外方へ押し出すことができる。
【００５１】
また、スペーサー本体部７０ｂのコイン接触側面７０ｅとストッパー接触側面７０ｆとの間の厚みは、コインＣ１とコインＣ２との直径の差である「Ｓ」となるように設計されている。このため、コインＣ２の外周面によりスペーサー本体部７０ｂを介して第１ストッパー４０が押し出された場合には、図５（ｃ）に示すように、コインＣ２の直径分に加えて、スペーサー本体部７０ｂの厚みであるＳ分多く外方へ押し出される。その結果、第１ストッパー４０が所定量ｍだけ外方に押し出されることになり、回転体３１の回転を許容させることができる。
【００５２】
図示しないが、直径がコインＣ１未満であってコインＣ２よりも大きいコインが用いられたときには、図５（ｂ）と同様に、スペーサー本体部７０ｂが上方へ退避し、当該コインの表面上に最下位置７０ｄが接した状態となる。ストッパー接触側面７０ｆが第１ストッパー４０の接触部４２と接触したときの当該コインの外周面が当接する箇所は、未だ傾斜面７０ｃとなるためである。また、直径はコインＣ１未満であるため、第１ストッパー４０が当該コインの外周面により押し出される量は、所定量ｍ未満となる。その結果、図３（ｂ）で示したように、回転体３１の回転が阻止される。
【００５３】
また、直径がコインＣ２未満のコインが用いられたときには、図５（ｃ）と同様に、当該コインの外周面によりスペーサー本体部７０ｂを介して第１ストッパー４０を外方に押し出すことができる。ストッパー接触側面７０ｆが第１ストッパー４０の接触部４２と接触したときの当該コインの外周面が当接する箇所は、コイン接触側面７０ｅとなるためである。しかし、直径はコインＣ２未満であるため、当該コインの外周面によりスペーサー本体部７０ｂを介して第１ストッパー４０が押し出される量は、所定量ｍ未満となる。その結果、回転体３１の回転が阻止される。
【００５４】
このように動作するコイン選別部品８を備えるため、コイン保持部３３を１個所にして、コイン選別装置６の構成・設計を容易にするとともに、利用方法をわかり易くしつつも、コインＣ１とコインＣ２とを正規のコインとして判別させることができる。
【００５５】
また、スペーサー本体部７０ｂの傾斜面７０ｃおよびコイン接触側面７０ｅとストッパー接触側面７０ｆとの間の厚みを調整することにより、直径がコインＣ２とは異なるコインを正規なコインとして判別させることができる。このため、回転体３１や第１ストッパー４０などの部品を交換せずとも、スペーサー本体部７０ｂを交換することにより、収容物の価値や利用場面などに応じて、コインＣ２とは異なる他のコインを正規なコインとして判別させることができ、金額的なバリエーションを広げるなど利便性を向上させることができる。
【００５６】
［ハンドル戻し機構について］
収容物排出装置１は、回転ハンドル２０を１回転させることにより収容物を排出する。しかし、利用者によっては、収容物が排出されていることなどに気付かずに、１回転以上回転させてしまう場合が生じる。この状態で放置されたときには、コイン保持部が流下経路からずれた位置となるため、次の利用者がコインを投入しても適正に保持されず回転が許容されない。その結果、故障していると勘違いさせてしまう虞があった。このような不具合を解消するために、収容物排出装置１は、以下に説明するような、回転ハンドル２０を初期位置に戻す機構をも備えている。
【００５７】
図６（ａ）は、１回転以上回転させてしまうなどして、コイン保持部３３（開口３９）が流下経路１８を向いておらず流下してくるコインを保持できない回転位置の一例を示し、図６（ｂ）は、コイン保持部３３（開口３９）が流下経路１８を向いており流下してくるコインを保持可能な回転位置の一例を示している。なお、図６（ａ）の回転体３１は、保持不可能回転位置にあるときの一例であり、図６（ｂ）の回転体３１は、保持可能回転位置にあるときの一例を示している。
【００５８】
図６（ａ）に示すように、コインを保持できない回転位置にあるときには、弾性体３２によりアーム部材２５が上方へ引っ張られるため、アーム部材２５の上辺に係合する回転体３１の突起部３６を上方へ移動させる方向に力が働く。その結果、回転ハンドル２０から利用者が手を離したときに、図６（ｂ）に示すように、アーム部材２５が第１ケース体７ａに設けられたアーム止め３１ａに当接するまで引き上げられ、突起部３６も引き上げられて、回転体３１をコインを保持可能な回転位置に戻すことができる。これにより、適正にコインを保持できない位置で放置されることを防止できる。また、回転ハンドル２０を初期位置に戻す機構は、回転体３１のコイン保持部３３などが設けられる側面とは反対側面に設けられているため、設計を容易にできる。
【００５９】
［その他の変形例などについて］
（１）  移動増加手段として、図４などで示した形状および構造を有するコイン選別部品８を例示した。しかし、移動増加手段は、たとえば、コインＣ２が保持されてるときでもコインＣ１が保持されているときと同様に第１ストッパー４０を移動させるものであればよく、コイン選別部品８のような形状および構造に限るものではなく、どのような形状および構造を有するものであってもよい。
【００６０】
また、移動増加手段は、コインＣ２と第１ストッパー４０との間で動作するものに限らず、たとえば、コイン保持部３３の最下点部において動作し、直径がコインＣ２以下のときにコインＣ２自体を第１ストッパー４０の方向へコインＣ１との差分である「Ｓ」だけ押し出すものであってもよい。また、移動増加手段は、第２ケース体７ｂに取り付けられる例について説明したが、これに限らず、たとえば、第１ケース体７ａに取り付けるようにしてもよい。
【００６１】
（２）  コイン保持部３３は、直径がコインＣ１よりも大きなコインを適正に保持できない例について説明したが、直径がコインＣ１よりも大きなコインが保持されても回転不能（たとえば、第１ケース体７ａの壁部に当接）に構成されているものであれば、コインＣ１よりも大きなコインを適正に保持できるものであってもよい。
【００６２】
（３）  選別装置としては、正規なコインを選別する例について説明したが、選別対象は、正規な媒体を選別するものであれば、コインに限らず、たとえば、球体のものや、棒状のものなど、どのような形状を有する媒体であってもよい。選別装置としては、たとえば、球体の媒体を選別する場合、その直径に応じて第１ストッパーを押し出し、棒状の媒体を選別数Ｒ場合、その長さなどに応じて第１ストッパーを押し出すように構成されたものであってもよい。
【００６３】
（４）  収容物は、カプセルに限らず、たとえば箱状のものであってもよい。また、包装対象は、玩具に限らず、また、固定形状のものに限るものでもない。
【００６４】
（５）  収容物排出装置は、収容物の自重により落下させて排出させる例について説明したが、これに限らず、回転体３１の回転に伴って収容物を外部へ送り出す機構が設けられているものであってもよい。
【００６５】
（６）  選別装置は、収容物排出装置に適用した例について説明したが、正規と判別したときに所定の動作あるいは制御を行う装置であればこれに限らず、たとえば、ゲーム装置（正規と判別したときにゲーム開始）や、ドア開閉装置（正規と判別したときにドア開放）など、どのような装置に適用するものであってもよい。
【００６６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６７】
１  収容物排出装置、６  コイン選別装置、７  コイン選別本体、８  コイン選別部品、１１  回転台、２０  回転ハンドル、３１  回転体、３３  コイン保持部、４０  第１ストッパー、４５  第２ストッパー、７０  スペーサー、７０ａ  軸部、７０ｂ  スペーサー本体部。
【図１】
2017045383.tif 000003
【図２】
2017045383.tif 000004
【図３】
2017045383.tif 000005
【図４】
2017045383.tif 000006
【図５】
2017045383.tif 000007
【図６】
2017045383.tif 000008